(57)【要約】【課題】  底受部の強度を充分に優れたものとしながら、例えば水場であっても、衛生的に使用できるボトルホルダーを提供すること。【解決手段】  ボトルを収容するためのボトルホルダーであって、該ボトルホルダーは、収容したボトルの底部を受けるための底受部に開口部があり、該底受部は、開口部に向けて下方へ傾斜した傾斜部を含んで構成されることを特徴とするボトルホルダー。【選択図】  図１
0003231976.tif 000002
【実用新案登録請求の範囲】
【請求項１】
ボトルを収容するためのボトルホルダーであって、
該ボトルホルダーは、収容したボトルの底部を受けるための底受部に開口部があり、
該底受部は、開口部に向けて下方へ傾斜した傾斜部を含んで構成されることを特徴とするボトルホルダー。
【請求項２】
前記ボトルホルダーは、その上面から見たときに、底受部の面積中、開口部の面積の割合が、１０％以上、９０％以下である請求項１に記載のボトルホルダー。
【請求項３】
前記ボトルホルダーは、その上面から見たときに、開口部を除く底受部の面積中、傾斜部の面積の割合が、１０％以上である請求項１又は２に記載のボトルホルダー。
【請求項４】
前記傾斜部は、水平面に対して、３°以上、８９°以下傾斜している請求項１〜３のいずれかに記載のボトルホルダー。
【請求項５】
前記ボトルホルダーは、底受部の少なくとも一部の断面の形状が略三角形の形状である請求項１〜４のいずれかに記載のボトルホルダー。
【請求項６】
前記ボトルホルダーは、少なくとも底受部が樹脂及び／又は金属からなる成型品である請求項１〜５のいずれかに記載のボトルホルダー。
【請求項７】
前記ボトルホルダーは、シンク、壁、又は、専用設置台に設置するためのものである請求項１〜６のいずれかに記載のボトルホルダー。
【考案の詳細な説明】
【技術分野】
【０００１】
本考案は、ボトルホルダーに関する。
【背景技術】
【０００２】
ボトルホルダーは、携帯用、設置用のものがあり、種々の目的でボトルを収容（積載）するために用いられる。
例えば、手洗いシンク等の水場には、洗浄液等を収容したボトルを収容できるボトルホルダーをシンクや周囲の壁等に設置することで、直置きでは安定に保持できない箇所でもボトルを安定に保持することができ、ボトルを使いやすくしたり、スペースを有効に活用したりすることができる。
【０００３】
従来のボトルホルダーとしては、例えば、特許文献１に、液体を入れるボトルを収容するボトルホルダーであって、前面又は側面に切込みが形成され、それによって前記液体とともに使用する用具を掛けるための掛け部が形成されたボトルホルダーが開示されている。
【先行技術文献】
【特許文献】
【０００４】
【特許文献１】実用新案登録第３１９１２５８号
【考案の概要】
【考案が解決しようとする課題】
【０００５】
特許文献１に記載されるような、手洗いシンク等の水場に設置されるボトルホルダーは、底に水等の液体が溜まりやすく、その結果、微生物が繁殖することによりピンク色のヌメリ等が発生しやすいものであった。水場であっても衛生的に使用できるボトルホルダーが望まれるところであった。
【０００６】
本考案は、上記問題を解決するためにされたものであり、底受部の強度を充分に優れたものとしながら、例えば水場であっても、衛生的に使用できるボトルホルダーを提供することを目的とする。
【課題を解決するための手段】
【０００７】
本考案のボトルホルダーは、ボトルを収容するためのボトルホルダーであって、該ボトルホルダーは、収容したボトルの底部を受けるための底受部に開口部があり、該底受部は、開口部に向けて下方へ傾斜した傾斜部を含んで構成されることを特徴とするボトルホルダーである。
【０００８】
本考案のボトルホルダーでは、収容したボトルの底部を受けるための底受部に開口部があり、該底受部が開口部に向けて下方へ傾斜した傾斜部を含んで構成される。
このように、収容したボトルの底部を受けるための底受部に、水等の液体を排出するための傾斜部及び開口部を設けることにより、水切れが良く、ボトルの底部を受けるための底受部から液体を充分に排出でき、該底受部に液体が残留しにくいため、ヌメリ等の発生を充分に防止でき、ボトルを衛生的に使用できる。
【０００９】
また本考案のボトルホルダーは、上述したように、底受部が、開口部に向けて下方へ傾斜した傾斜部を含むことにより、ボトルホルダーの底受部において水等の液体を排出するための構造が開口部のみである場合と比較して、水切れを充分に良好としながら、ボトルホルダーの底受部の強度を充分に優れたものとし、ボトル上部のポンプヘッドを強く押した時のたわみに対する耐性をより充分なものとすることができる。
【００１０】
なお、本考案のボトルホルダーは、ボトルを収容した使用状態に限定されるものではない。
本考案のボトルホルダーの形状は、特に限定されないが、通常、その本体部分は実質的に柱状（例えば、角柱状、円柱状等）である。
【００１１】
本考案のボトルホルダーは、その上面から見たときに、底受部の面積中、開口部の面積の割合が、１０％以上、９０％以下であることが好ましい。
これにより、開口部から水等の液体をより一層排出しやすくなり、ボトルホルダーの底受部により一層液体が残留しにくくなるため、ヌメリ等の発生をより充分に防止できる。
本明細書中、上面から見たときとは、収容した柱状のボトルの側面が垂直方向となるように適切に設置した本考案のボトルホルダーを、水平面に対して垂直方向（真上）から見たときをいう。
底受部の面積とは、ボトルホルダーに収容できる最大底面積の柱状のボトルの底部が収まる部分に相当し、ボトルを収容可能な部分の面積と言い換えることもできる。なお、該底受部の面積は、該ボトルが収まる部分の全面積、すなわち、傾斜部、開口部等の部分を含めた面積である。
開口部の面積とは、底受部中の開口部の面積であり、開口部が複数ある場合は、その合計面積である。
【００１２】
本考案のボトルホルダーは、その上面から見たときに、開口部を除く底受部の面積中、傾斜部の面積の割合が、１０％以上であることが好ましい。
なお、上記傾斜部の面積の割合は、その上限値は特に限定されず、１００％でもよいが、例えば９９％以下であることが好ましい。
開口部を除く底受部の面積とは、上述した底受部の面積から、開口部の面積を除いた面積である。
これにより、傾斜部から水等の液体をより一層排出しやすくなり、ボトルホルダーの底受部により一層液体が残留しにくくなるため、ヌメリ等の発生をより充分に防止できる。また、底受部の強度を充分なものとすることができる。
なお、傾斜部の面積は、傾斜部を傾斜面に沿って計測した面積ではなく、本考案のボトルホルダーを上面から見たときの面積である。
【００１３】
本考案のボトルホルダーにおける傾斜部は、水平面に対して、３°以上、８９°以下傾斜していることが好ましい。
これにより、傾斜部から水等の液体をより一層排出しやすくなり、ボトルホルダーの底受部により一層液体が残留しにくくなるため、ヌメリ等の発生をより充分に防止できる。
なお、上記傾斜部の角度は、収容した柱状のボトルの側面が垂直方向となるように適切に設置した本考案のボトルホルダーにおける傾斜部の角度をいう。
【００１４】
本考案のボトルホルダーは、底受部の少なくとも一部の断面の形状が略三角形の形状であることが好ましい。
これにより、ボトルホルダーの底受部から水等の液体をより一層排出しやすくすることができるとともに、ボトルホルダーの底受部において液体を排出するための構造が開口部のみである場合と比較して、ボトルホルダーの底受部の強度をより優れたものとし、ボトル上部のポンプヘッドを強く押した時のたわみに対する耐性をより充分なものとすることができる。
【００１５】
本考案のボトルホルダーは、少なくとも底受部が樹脂及び／又は金属からなる成型品であることが好ましい。
本考案のボトルホルダーは、少なくとも底受部が樹脂からなる成型品及び／又は金属加工した成型品でありながら、上述した形状等を有することにより、底受部の強度を充分に優れたものとしながら、水切れが良好であり、例えば水場であっても衛生的に使用できるものである。
【００１６】
本考案のボトルホルダーは、シンク、壁、又は、専用設置台に設置するためのものであることが好ましい。
本考案のボトルホルダーが、シンク、壁、又は、専用設置台に設置するためのものであることで、直置きでは安定に保持できない箇所でもボトルを安定に保持することができ、ボトルを使いやすくしたり、スペースを有効に活用したりすることができる。
なお、本考案のボトルホルダーをシンク等の湿気の多い環境下（水場）に設置した場合は、本考案のボトルホルダーにより、ヌメリ等の発生を防止できる効果が充分に発揮されるため、本考案の効果が顕著なものとなる。
【考案の効果】
【００１７】
本考案のボトルホルダーは、底受部の強度を充分に優れたものとしながら、例えば水場であっても、衛生的に使用できるものである。
【図面の簡単な説明】
【００１８】
【図１】図１は、本考案のボトルホルダーの第１実施形態を示す斜視図である。
【図２】図２は、図１に示したボトルホルダーの正面図である。
【図３】図３は、図１に示したボトルホルダーの背面図である。
【図４】図４は、図１に示したボトルホルダーの右側面図である。
【図５】図５は、図１に示したボトルホルダーの平面図である。
【図６】図６は、図１に示したボトルホルダーの底面図である。
【図７】図７は、図２に示したＡ−Ａ線の断面図である。
【図８】図８は、本考案のボトルホルダーの第２実施形態を示す斜視図である。
【図９】図９は、図８に示したボトルホルダーの正面図である。
【図１０】図１０は、図８に示したボトルホルダーの背面図である。
【図１１】図１１は、図８に示したボトルホルダーの右側面図である。
【図１２】図１２は、図８に示したボトルホルダーの平面図である。
【図１３】図１３は、図８に示したボトルホルダーの底面図である。
【図１４】図１４は、図９に示したＡ−Ａ線の断面図である。
【図１５】図１５は、本考案のボトルホルダーの使用状態の一例を示す写真である。
【図１６】図１６は、本考案のボトルホルダーの使用状態の一例を示す写真である。
【考案を実施するための形態】
【００１９】
以下、本考案のボトルホルダーについて具体的な実施形態を示しながら説明する。しかしながら、本考案は、以下の実施形態に限定されるものではなく、本考案の要旨を変更しない範囲において適宜変更して適用することができる。
【００２０】
本考案のボトルホルダーは、収容したボトルの底部を受けるための底受部に開口部があり、該底受部は、開口部に向けて下方へ傾斜した傾斜部を含んで構成される。
上記傾斜部は、底受部における開口部以外の部分から開口部に向けて下方へ傾斜した傾斜部であることが好ましい。
上記底受部における開口部以外の部分（傾斜部の上側に接続する部分）は、その形状は特に限定されず、水平面であってもよいが、水平面以外の形状であってもよい。
【００２１】
本考案のボトルホルダーは、その上面から見たときに、底受部の面積中、開口部の面積の割合が、１０％以上、９０％以下であることが好ましい。
上記底受部における、開口部の面積の割合は、水等の液体をより充分に排出する観点からは、２０％以上であることがより好ましく、３０％以上であることが更に好ましく、４０％以上であることが特に好ましい。
上記底受部における、開口部の面積の割合は、ボトルホルダーの底受部の強度をより充分なものとする観点からは、８０％以下であることがより好ましく、７０％以下であることが更に好ましく、６０％以下であることが特に好ましい。
【００２２】
本考案のボトルホルダーは、その上面から見たときに、開口部を除く底受部の面積中、上記傾斜部の面積の割合が、１０％以上であることが好ましい。
上記開口部を除く底受部における、上記傾斜部の面積の割合は、水等の液体をより充分に排出する観点からは、１５％以上であることがより好ましく、３０％以上であることが更に好ましく、４０％以上であることが特に好ましい。
【００２３】
上記傾斜部は、水平面に対して、３°以上傾斜していることが好ましい。
上記傾斜部は、水平面に対して、５°以上傾斜していることがより好ましく、１０°以上傾斜していることが更に好ましい。
また上記傾斜部は、水平面に対して、８９°以下傾斜していることが好ましいが、７０°以下傾斜していることがより好ましく、６０°以下傾斜していることが更に好ましい。
【００２４】
本考案のボトルホルダーは、底受部が更に水平部を含むことが好ましい。また本考案のボトルホルダーは、その上面から見たときに、収容したボトルの底部を受けるための底受部から開口部を除いた面積中、水平部の面積の割合が、５％以上、５０％以下であることがより好ましい。
水平部の面積とは、底受部中の水平部の面積であり、水平部が複数ある場合は、その合計面積である。
例えば、ボトルをボトルホルダーに収容した場合にボトルの底部と接触する水平部と、ボトルの底部と接触しない、高さが低い水平部がある場合、水平部の面積は、これらの合計面積である。
【００２５】
上記底受部における、水平部の面積の割合は、ボトルの底部をより安定して受ける観点からは、６％以上であることが好ましく、７％以上であることがより好ましく、１０％以上であることが更に好ましい。
上記底受部における、水平部の面積の割合は、ボトルの底受部に水等の液体が残留することをより防ぐ観点からは、４０％以下であることが好ましく、３５％以下であることがより好ましく、３０％以下であることが更に好ましい。
【００２６】
本考案のボトルホルダーは、上記底受部における、上記ボトルの底部と接触する部分が線状部分を含むことが好ましい。中でも、本考案のボトルホルダーは、上記底受部における、上記ボトルの底部と接触する部分が線状部分からなることがより好ましい。
上記線状部分は、本考案のボトルホルダーを上面から見たときに、円形状を構成していてもよく、矩形状を構成していてもよい。また、該線状部分は、当該円形状又は矩形状を支持するための更なる線状部分を１つ又は２つ以上含んでいてもよく、当該円形状又は矩形状を支持するための更なる線状部分を３つ以上含むことが好ましい。
【００２７】
本考案のボトルホルダーは、底受部の少なくとも一部の断面の形状が略三角形の形状（山型）であることが好ましい。
上記略三角形の形状とは、例えば、頂点が上に、底辺が下に位置する三角形の形状や、当該三角形の上部を切り欠いた台形の形状が好適なものとして挙げられる。なお、上記略三角形の傾斜部は、通常、開口部に向けて下方へ傾斜したものである。
三角形の頂点や、台形の上底部分等でボトルの底部を受けることで、底受部に水等の液体が滞留しにくいものとすることができる。
上記略三角形の形状が、頂点が上に、底辺が下に位置する三角形の形状である場合、上側の頂点における内角は、２０°〜１７４°の範囲内であることが好ましい。
また上記略三角形の形状が台形の形状である場合は、上側の頂点が二点あるが、その少なくとも一方における内角が９１°〜１７５°の範囲内であることが好適であり、その両方における内角がそれぞれ当該範囲内であることがより好適である。
【００２８】
本考案のボトルホルダーは、その材料は特に限定されず、例えば樹脂及び／又は金属からなるものとすることが好ましいが、少なくとも底受部が樹脂からなる成型品であることがより好ましい。中でも、本考案のボトルホルダーの全体が樹脂からなる成型品であることが特に好ましい。少なくとも底受部が樹脂からなる成型品である本考案のボトルホルダーは、簡便に作製できるものである。樹脂からなる成型品は、公知の成型方法を利用して得ることができるが、例えば射出成型品であることが好ましい。樹脂としては、ポリエチレン、ポリプロピレン、ポリアミド、ポリアセタール、ポリブチレンテレフタレート、ポリエチレンサイルファイド、ポリ塩化ビニル、ポリスチレン、ＡＢＳ樹脂、ＡＳ樹脂、メタクリル樹脂、ポリカーボネート等の、一般的な熱可塑性樹脂、またはフェノール樹脂、ユリア樹脂、メラミン樹脂、ポリウレタン、エポキシ樹脂等の、一般的な熱硬化性樹脂を使用することができる。本考案のボトルホルダーは、樹脂からなる成型品でありながら、上述したように、底受部が、開口部に向けて下方へ傾斜した傾斜部を含むことにより、ボトルホルダーの底受部の強度を充分に優れたものとし、ボトル上部のポンプヘッドを強く押した時のたわみに対する耐性をより充分なものとしながら、例えば水場であっても、衛生的に使用できるものである。
【００２９】
本考案のボトルホルダーは、シンク、壁、又は、専用設置台に設置するためのものであることが好ましい。
また本考案のボトルホルダーは、その側面部及び／又は底受部に、シンク、壁、又は、専用設置台と連結するための連結部設置部（例えば、開口部）が設けられていることが好ましい。例えば、本考案のボトルホルダーは、上記連結部設置部が、ボトルを収容した際に該ボトルの重量を受ける重心近傍に設けられていることがより好ましい。
【００３０】
中でも、本考案のボトルホルダーは、シンク、又は、シンクの周囲の壁若しくは専用設置台に設置するためのものであることが好ましい。
上記シンクとしては、例えば、手洗い用シンク、洗面用シンク、足洗い用シンク、台所用シンク、食器洗い用シンク、食材洗い用シンク、ペット洗い用シンク等が挙げられ、これら複数の用途のために用いられるものであってもよい。中でも、手洗い用シンクが好ましい。
【００３１】
（ボトルホルダーの第１実施形態）
図１は、本考案のボトルホルダーの第１実施形態を示す斜視図である。図２〜図６は、それぞれ、図１に示したボトルホルダーの正面図、背面図、右側面図、平面図、底面図である。図７は、図２に示したＡ−Ａ線の断面図である。左側面図は右側面図と対称であるため省略する。
ボトルホルダー１は、前面部７と、背面部９と、右側面部５と、左側面部３と、底受部とを備える。ボトルホルダー１は、上面が解放された形状を有していて、２本のボトルを収容可能なものである。
【００３２】
第１実施形態のボトルホルダー１では、水平な円形状の線状部分１５の外側に、丸みを帯びながら開口部に向けて下方へ傾斜した傾斜する部分１５ｂが形成されている。また、この円形状の線状部分１５から、線状部分１１、１２、１３が延びており、円形状の線状部分１５を支えている。線状部分１１は、その左右が、開口部に向けて下方へ傾斜した傾斜面１１ａ、１１ｂと接続されている。また、線状部分１２は、その左右が、開口部に向けて下方へ傾斜した傾斜面１２ａ、１２ｂと接続されている。ボトルホルダー１は、このように底受部の一部が開口部に向けて下方へ傾斜していること（又は、底受部の少なくとも一部の断面の形状が、底受部の線状部分及びその左右の傾斜面からなる略三角形の形状であること）により、底受部の強度を優れたものとしながら、ボトルホルダー１の底受部から水等の液体を充分に排出することができる。
【００３３】
ボトルの底部と接触する線状部分１５は、上述したように、ボトルホルダー１を上面から見たときに円形状となっている（特に、図５参照。）。また、ボトルホルダー１を上面から見たとき、円形状の線状部分１５の内側に、円形状の線状部分１５よりも低い位置に円形状の部分１５ａが形成され、また、上述したように、円形状の線状部分１５の外側に、丸みを帯びて傾斜する部分１５ｂが形成されている。円形状の部分１５ａ、傾斜する部分１５ｂは、ボトルの底部とは接触しない。なお、円形状の線状部分１５は、円形状の代わりに、矩形状であってもよく、その他の形状であってもよい。円形状の線状部分１５の内側には、円孔１９が形成されている。本考案のボトルホルダー１は、底受部中、その開口部の合計面積が上述したように特定されたものであり、円孔１９、及び、その他の開口部から、水等の液体を充分に排出することができる。
【００３４】
ボトルホルダーの底受部は、上述した、ボトルの底部と接触するための、水平な線状部分１１、１２、１３、１５、及び、ボトルの底部とは接触しない、円形状の部分１５ａを含んで構成される。水平な、線状部分１１、１２、１３、１５、及び、円形状の部分１５ａは、底受部中、その合計面積が上述したように特定されたものであり、ボトルホルダー１の底受部における水等の液体の残留を充分に防止できるものである。
【００３５】
なお、図６は、図５に示した平面図を裏側から見た底面図であり、円形状の部分１５ｃは、円形状の部分１５ａ、円形状の線状部分１５、傾斜する部分１５ｂを裏側から見たものであり、線状部分１１ｄ、１２ｄ、１３ａは、それぞれ、線状部分１１、１２、１３を裏側から見たものであり、傾斜面１１ｃ、１１ｅ、１２ｃ、１２ｅは、傾斜面１１ａ、１１ｂ、１２ａ、１２ｂを裏側から見たものである。
【００３６】
ボトルホルダー１の背面部９には、ボトルホルダー１をシンクや周囲の壁等の固定対象に固定するために必要に応じて後方に突き出した平板部が形成されており、平板部には、３つの固定用孔１７ａ、１７ｂ、１７ｃが設けられている。ボトルホルダー１は、この平板部を固定対象に密着させるとともに、内側から固定用孔１７ａ、１７ｂ、１７ｃを通してネジ、ビス等の固定具を壁等に固定することで固定対象に取り付けられる。また、ボトルホルダー１は、固定対象に取り付けられた掛け部を外側から固定用孔１７ａ、１７ｂ、１７ｃに通すことで固定対象に固定することもできる。
【００３７】
なお、上述した固定用孔１７ａ、１７ｂ、１７ｃを用いる代わりに、または、上述した固定用孔１７ａ、１７ｂ、１７ｃとともに、上述した円孔１９等の開口部を、底面を洗面台等の固定対象に固定するために使用することも可能である。
【００３８】
前面部７、背面部９、右側面部５、及び、左側面部３は、角柱形状のボトルを収容する場合は図示するように概ね平板状とすることができるが、収容するボトルの形状に応じた形状とすることができる。
【００３９】
前面部７は、左右に下端を残して、中央に下端から中段にかけて形成された切欠き部を有している。背面部９は、中央に下端を残して、左右に下端から中段にかけて形成された切欠き部を有している。右側面部５は、左側に下端を残して、右側に下端から中段にかけて形成された切欠き部を有している。左側面部３は、右側に下端を残して、左側に下端から中段にかけて形成された切欠き部を有している。これら切欠き部の存在により、ボトルホルダー１に水等の液体が残留することをより一層防止できる。また、特に前面部７、右側面部５、左側面部３における切欠き部の存在により、ボトルホルダー１が不透明な材料から形成されている場合でも、収容されているボトルのラベルや内容物の残存量が視認しやすくなる。更に、使用者がボトルを取り出しやすくなる。
【００４０】
（ボトルホルダーの第２実施形態）
図８は、本考案のボトルホルダーの第２実施形態を示す斜視図である。図９〜図１３は、それぞれ、図８に示したボトルホルダーの正面図、背面図、右側面図、平面図、底面図である。図１４は、図９に示したＡ−Ａ線の断面図である。左側面図は右側面図と対称であるため省略する。
ボトルホルダー１０１は、前面部１０７と、背面部１０９と、右側面部１０５と、左側面部１０３と、底受部とを備える。ボトルホルダー１０１は、上面が解放された形状を有していて、１本のボトルを収容可能なものである。
【００４１】
第２実施形態のボトルホルダー１０１では、水平な円形状の線状部分１１５の外側に、丸みを帯びながら開口部に向けて下方へ傾斜した傾斜する部分１１５ｂが形成されている。また、この円形状の線状部分１１５から、線状部分１１１、１１２、１１３が延びており、円形状の線状部分１１５を支えている。線状部分１１１は、その左右が、開口部に向けて下方へ傾斜した傾斜面１１１ａ、１１１ｂと接続されている。また、線状部分１１２は、その左右が、開口部に向けて下方へ傾斜した傾斜面１１２ａ、１１２ｂと接続されている。ボトルホルダー１０１は、このように底受部の一部が開口部に向けて下方へ傾斜していること（又は、底受部の少なくとも一部の断面の形状が、底受部の線状部分及びその左右の傾斜面からなる略三角形の形状であること）により、底受部の強度を優れたものとしながら、ボトルホルダー１０１の底受部から水等の液体を充分に排出することができる。
【００４２】
ボトルの底部と接触する線状部分１１５は、上述したように、ボトルホルダー１０１を上面から見たときに円形状となっている（特に、図１２参照。）。また、ボトルホルダー１０１を上面から見たとき、円形状の線状部分１１５の内側に、円形状の線状部分１１５よりも低い位置に円形状の部分１１５ａが形成され、また、上述したように、円形状の線状部分１１５の外側に、丸みを帯びて傾斜する部分１１５ｂが形成されている。円形状の部分１１５ａ、傾斜する部分１１５ｂは、ボトルの底部とは接触しない。なお、円形状の線状部分１１５は、円形状の代わりに、矩形状であってもよく、その他の形状であってもよい。円形状の線状部分１１５の内側には、円孔１１９が形成されている。本考案のボトルホルダー１０１は、底受部中、その開口部の合計面積が上述したように特定されたものであり、円孔１１９、及び、その他の開口部から、水等の液体を充分に排出することができる。
【００４３】
ボトルホルダーの底受部は、上述した、ボトルの底部と接触するための、水平な線状部分１１１、１１２、１１３、１１５、及び、ボトルの底部とは接触しない、円形状の部分１１５ａを含んで構成される。水平な、線状部分１１１、１１２、１１３、１１５、及び、円形状の部分１１５ａは、底受部中、その合計面積が上述したように特定されたものであり、ボトルホルダー１０１の底受部における水等の液体の残留を充分に防止できるものである。
【００４４】
なお、図１３は、図１２に示した平面図を裏側から見た底面図であり、円形状の部分１１５ｃは、円形状の部分１１５ａ、円形状の線状部分１１５、傾斜する部分１１５ｂを裏側から見たものであり、線状部分１１１ｄ、１１２ｄ、１１３ａは、それぞれ、線状部分１１１、１１２、１１３を裏側から見たものであり、傾斜面１１１ｃ、１１１ｅ、１１２ｃ、１１２ｅは、傾斜面１１１ａ、１１１ｂ、１１２ａ、１１２ｂを裏側から見たものである。
【００４５】
ボトルホルダー１０１の背面部１０９には、ボトルホルダー１０１をシンクや周囲の壁等の固定対象に固定するために必要に応じて後方に突き出した平板部が形成されており、平板部には、２つの固定用孔１１７ａ、１１７ｂが設けられている。ボトルホルダー１０１は、この平板部を固定対象に密着させるとともに、内側から固定用孔１１７ａ、１１７ｂを通してネジ、ビス等の固定具を壁等に固定することで固定対象に取り付けられる。また、ボトルホルダー１０１は、固定対象に取り付けられた掛け部を外側から固定用孔１１７ａ、１１７ｂに通すことで固定対象に固定することもできる。
【００４６】
なお、上述した固定用孔１１７ａ、１１７ｂを用いる代わりに、または、上述した固定用孔１１７ａ、１１７ｂとともに、上述した円孔１１９等の開口部を、底面を洗面台等の固定対象に固定するために使用することも可能である。
【００４７】
前面部１０７、背面部１０９、右側面部１０５、及び、左側面部１０３は、角柱形状のボトルを収容する場合は図示するように概ね平板状とすることができるが、収容するボトルの形状に応じた形状とすることができる。
【００４８】
前面部１０７は、左右に下端を残して、中央に下端から中段にかけて形成された切欠き部を有している。背面部１０９は、中央に下端を残して、左右に下端から中段にかけて形成された切欠き部を有している。右側面部１０５は、左側に下端を残して、右側に下端から中段にかけて形成された切欠き部を有している。左側面部１０３は、右側に下端を残して、左側に下端から中段にかけて形成された切欠き部を有している。これら切欠き部の存在により、ボトルホルダー１０１に水等の液体が残留することをより一層防止できる。また、特に前面部１０７、右側面部１０５、左側面部１０３における切欠き部の存在により、ボトルホルダー１０１が不透明な材料から形成されている場合でも、収容されているボトルのラベルや内容物の残存量が視認しやすくなる。更に、使用者がボトルを取り出しやすくなる。
【００４９】
（ボトルホルダーの使用例）
上記のように構成されたボトルホルダー１の使用例を説明する。図１５及び図１６は、本考案のボトルホルダーの使用状態の一例を示す写真である。図１５及び図１６に示すように、ボトルホルダー１は２本のボトルを収容することができる。右側のボトルには手洗い用の洗浄液が入っており、左側のボトルには、アルコール消毒液が入っている。ボトル本体の上部にはポンプ及びノズルからなるポンプヘッドが設けられている。これらのボトルは、それぞれ、ポンプヘッドをボトル本体から取り外すことにより洗浄液、アルコール消毒液を補充することが可能である。
【００５０】
図１５及び図１６の例では、各ボトルのボトルヘッドはそれぞれ異なっている。右側のボトルは、ノズルが下方に押し込まれることで、ポンプが洗浄液を泡状にしてノズルから吐出する。左側のボトルは、ノズルが下方に押し込まれることで、ポンプがアルコール消毒液をそのままノズルから吐出する。
【００５１】
ボトル本体は透明であり、ボトル内容物の残存量を確認することができる。ボトルホルダー１の前面下方側には切欠き部が形成されているので、使用者は残液量が少なくなっていることを視認することができ、ボトルに洗浄液やアルコール消毒液を補充することができる。なお、このような切欠き部は、左右対称に幅広に設けていることから、２本のボトルをボトルホルダー１に収納させると、いずれのボトルの残液も目視にて容易に確認できる。よって、使用者は、洗浄液等を補充するタイミングを容易に把握できる。
【００５２】
図１５では、上述した円孔１９を、ボトルホルダーの底面を洗面台（固定対象）に固定するために使用する。また、図１６では、固定用孔１７ａ、１７ｂ、１７ｃを、ボトルホルダーの背面をシンク（固定対象）に固定するために使用する。図１６では、ボトルホルダーを少し宙に浮かせた状態で保持することができ、よって、ボトルホルダーの下側に水等の液体が残留することも充分に防止できる。
【００５３】
また、上記の実施の形態では、前面部、背面部、右側面部、左側面部のそれぞれに切欠き部を設けたが、前面部、背面部、右側面部、左側面部のそれぞれに切欠き部を設ける必要はなく、例えば、前面部、背面部、右側面部、左側面部のいずれにも切欠き部を設けなくても構わない。
【産業上の利用可能性】
【００５４】
本考案は、衛生的にボトルを収容することができるボトルホルダーに適用することができる。
【符号の説明】
【００５５】
１、１０１： ボトルホルダー
３、１０３：左側面部
５、１０５：右側面部
７、１０７：前面部
９、１０９：背面部
１１、１２、１３、１１１、１１２、１１３、１１ｄ、１２ｄ、１３ａ、１１１ｄ、１１２ｄ、１１３ａ：線状部分
１５、１１５：（円形状の）線状部分
１９、１１９：円孔
１１ａ、１１ｂ、１１ｃ、１１ｅ、１２ａ、１２ｂ、１２ｃ、１２ｅ、１１１ａ、１１１ｂ、１１１ｃ、１１１ｅ、１１２ａ、１１２ｂ、１１２ｃ、１１２ｅ：傾斜面
１７ａ、１７ｂ、１７ｃ、１１７ａ、１１７ｂ：固定用孔
１５ａ、１１５ａ：円形状の部分
１５ｂ、１１５ｂ：傾斜する部分
１５ａ、１５ｃ、１１５ａ、１１５ｃ：円形状の部分
【図１】
0003231976.tif 000003
【図２】
0003231976.tif 000004
【図３】
0003231976.tif 000005
【図４】
0003231976.tif 000006
【図５】
0003231976.tif 000007
【図６】
0003231976.tif 000008
【図７】
0003231976.tif 000009
【図８】
0003231976.tif 000010
【図９】
0003231976.tif 000011
【図１０】
0003231976.tif 000012
【図１１】
0003231976.tif 000013
【図１２】
0003231976.tif 000014
【図１３】
0003231976.tif 000015
【図１４】
0003231976.tif 000016
【図１５】
0003231976.tif 000017
【図１６】
0003231976.tif 000018